(57)【要約】      （修正有）【課題】注水管部の末端部がバキュームブレーカのキャビティをほぼ貫通して延伸するため、注水口の高さを高めることにより、逆流時のＣＬ線（臨界水位線）の高さを高める。【解決手段】バキュームブレーカ１０’は、本体部１１と、蓋部１２とを含み、前記本体部１１および前記蓋部１２は、キャビティ１３を共同で画定し、前記本体部１１は、注水口が画定された注水管部１４および出水口が画定された出水管部１５を一体に形成し、前記蓋部１２に空気口１６が形成され、前記注水管部１４の末端部が前記空気口１６の方向に前記キャビティ１３内で延伸する。前記注水管部１４の末端部が前記キャビティ１３内で延伸する長さは、前記キャビティ１３の高さの半分よりも大きくしてもよい。【選択図】図３
2014169784.tif 000002
【特許請求の範囲】
【請求項１】
本体部と、蓋部とを含み、前記本体部および前記蓋部は、キャビティを共同で画定し、前記本体部は、注水口が画定された注水管部および出水口が画定された出水管部を一体に形成し、前記蓋部に空気口が形成されたバキュームブレーカであって、前記注水管部の末端部が前記空気口の方向に前記キャビティ内で延伸することを特徴とするバキュームブレーカ。
【請求項２】
前記注水管部の末端部が前記キャビティ内で延伸する長さが前記キャビティの高さの半分よりも大きいことを特徴とする請求項１に記載のバキュームブレーカ。
【請求項３】
前記注水管部の末端部が前記キャビティ内で前記空気口に近接するまで延伸することを特徴とする請求項２に記載のバキュームブレーカ。
【請求項４】
前記注水口を封止するための第１の位置と前記空気口を封止するための第２の位置との間を移動可能なガスケットと、前記ガスケットを固定するためのガスケット固定軸とを含み、前記ガスケット固定軸は前記注水管部の中に下向きに伸びることを特徴とする請求項１〜３のいずれかに記載のバキュームブレーカ。
【請求項５】
前記空気口上方に位置する止水キャップが前記蓋部に一体に形成されていることを特徴とする請求項１〜３のいずれかに記載のバキュームブレーカ。
【請求項６】
前記空気口に連通するオーバーフロー穴がさらに設けられ、前記オーバーフロー穴上方に位置する止水シートが前記蓋部に一体に形成されていることを特徴とする請求項１〜３のいずれかに記載のバキュームブレーカ。
【請求項７】
前記空気口に連通するオーバーフロー穴がさらに設けられ、前記空気口上方に位置する止水キャップと、前記オーバーフロー穴上方に位置する止水シートとが前記蓋部に一体に形成されていることを特徴とする請求項１〜３のいずれかに記載のバキュームブレーカ。
【請求項８】
請求項１〜７のいずれかに記載のバキュームブレーカを含むことを特徴とする腰掛便器自動吐水システム。
【請求項９】
請求項８に記載の腰掛便器自動吐水システムを有することを特徴とする電子腰掛便器。
【発明の詳細な説明】
【技術分野】
【０００１】
本発明は、電子腰掛便器に関し、特に電子腰掛便器の自動吐水システムに設けられたバキュームブレーカに関する。
【背景技術】
【０００２】
電子腰掛便器の自動吐水システムでは、管で負圧が生じたときに汚水の逆流が発生することを防止するため、注水管にバキュームブレーカが設けられている。図１に、腰掛便器自動吐水システムにおいて用いるバキュームブレーカ１００を示す。バキュームブレーカ１００は、本体部１０１と、蓋部１０２とを含む。本体部１０１および蓋部１０２は、キャビティ１０３を共同で画定する。本体部１０１には、注水口１０４と、出水口１０５とが形成されている。蓋部１０２には、空気口１０６と、前記空気口１０６に連通したオーバーフロー穴１０７とが形成されている。キャビティ１０３内には、ガスケット１０８と、ガスケット固定軸１０９とが設けられている。注水管に負圧が生じたときに、外部の空気が空気口１０６からキャビティ１０３内に入り、ガスケット１０８が注水口１０４を封止することにより、汚水の注水管への逆流を防止する。蓋部１０２の上方には、水が空気口１０６およびオーバーフロー穴１０７から飛び散ることを防止するため、止水キャップ１１０を設けてもよい。
【０００３】
図１に示すバキュームブレーカ１００において、注水口１０４を画定する注水管部の末端（上端）は、キャビティ１０３の底壁と基本的に面一であり、さらにキャビティ１０３内に延伸しておらず、ガスケット固定軸１０９の大部分は、ガスケット１０８の上方に位置する。こうした構造によって、腰掛便器のＣＬ線（臨界水位線）が比較的低くなり、ｃＵＰＣ認証などの認証の要件を満たすことが難しくなり、バキュームブレーカの体積が比較的大きくなる。また、止水キャップ１１０は単独で成形され、蓋部１０２に組み立てられるため、製造および組立のコストが増加する。
【発明の概要】
【０００４】
本発明の１つの目的は、認証の要件を満たすために、逆流時のＣＬ線の高さを高めた、腰掛便器自動吐水システムに用いられるバキュームブレーカを提供することである。本発明のもう１つの目的は、バキュームブレーカの寸法を小さくすることである。本発明のさらにもう１つの目的は、バキュームブレーカのコストを下げることである。
【０００５】
本発明は第１の態様として、本体部と、蓋部とを含み、前記本体部および前記蓋部は、キャビティを共同で画定し、前記本体部は、注水口が画定された注水管部および出水口が画定された出水管部を一体に形成し、前記蓋部に空気口が形成され、前記注水管部の末端部が前記空気口の方向に前記キャビティ内で延伸するバキュームブレーカを提供する。
【０００６】
好ましくは、前記注水管部の末端部が前記キャビティ内で延伸する長さは、前記キャビティの高さの半分よりも大きい。さらに好ましくは、前記注水管部の末端部は、前記キャビティ内で前記空気口に近接するまで延伸する。
【０００７】
好ましくは、前記バキュームブレーカは、前記注水口を封止するための第１の位置と前記空気口を封止するための第２の位置との間を移動可能なガスケットと、前記ガスケットを固定するためのガスケット固定軸とを含み、前記ガスケット固定軸は前記注水管部に下向きに伸びる。
【０００８】
１つの有利な実施例において、前記空気口上方に位置する止水キャップは、前記蓋部に一体に形成されている。
【０００９】
もう１つの有利な実施例において、前記空気口に連通するオーバーフロー穴がバキュームブレーカにさらに設けられ、前記オーバーフロー穴上方に位置する止水シートが前記蓋部に一体に形成されている。
【００１０】
さらにもう１つの有利な実施例において、前記空気口に連通するオーバーフロー穴がバキュームブレーカにさらに設けられ、前記空気口上方に位置する止水キャップと、前記オーバーフロー穴上方に位置する止水シートとが前記蓋部に一体に形成されている。
【００１１】
本発明は第２の態様として、上述したいずれかのバキュームブレーカを含む腰掛便器自動吐水システムを提供する。
【００１２】
本発明は第３の態様として、前記腰掛便器自動吐水システムを有する電子腰掛便器を提供する。
【００１３】
本発明に基づき、注水管の末端がバキュームブレーカのキャビティの底壁と基本的に面一である従来技術に比べ、注水管部の末端部が前記空気口の方向に前記キャビティ内で延伸しているため、注水口の高さを高めることにより、逆流時のＣＬ線の高さが高まる。注水管部の末端部がキャビティ内で延伸する長さが大きいほど、逆流時のＣＬ線が高くなり、認証の要件を満たしやすくなる。
【００１４】
また、注水管部の中に下向きに伸びるようにガスケット固定軸を設けることによって、バキュームブレーカの寸法を小さくする。
【００１５】
また、空気口上方に位置する止水キャップおよび／またはオーバーフロー穴上方に位置する止水シートをバキュームブレーカの蓋部と一体に形成することにより、製造コストを下げ、組立プロセスを簡略化する。
【図面の簡単な説明】
【００１６】
【図１】従来技術におけるバキュームブレーカの概略的断面図である。
【図２】本発明の実施例の腰掛便器自動吐水システムの概略図である。
【図３】本発明の実施例のバキュームブレーカの概略的断面図である。
【図４】本発明のもう１つの実施例のバキュームブレーカの概略的断面図である。
【図５】図４に示すバキュームブレーカの立体図である
【発明を実施するための形態】
【００１７】
図２は、本発明の実施例の腰掛便器自動吐水システムを概略的に示す。本発明の腰掛便器自動吐水システムは、使用者が腰掛便器を使用した後に自動的に吐水可能な電子腰掛便器に用いることができる。例えば、赤外線検知プローブを腰掛便器タンクの前側壁に設け、使用者が腰掛便器を使用した後に起立したことを検知プローブが検出したときに、吐水処理を起動することができる。もう１つの選択として、腰掛便器の便座下側に圧力センサを設け、前記圧力センサによって、使用者が腰掛便器に着座し起立したことを検出し、それに応じて吐水処理を起動することもできる。
【００１８】
腰掛便器自動吐水システムは、タンク１を含む。図２に示すように、タンク１にはフロートスイッチ２が付設され、前記フロートスイッチはタンク１内部のフロートに接続されている。吐水後に、タンク１内部の水位が降下し、フロートが自重作用によって対応して降下する。このとき、フロートスイッチ２が開き、電磁注水弁３が対応して開き、給水管からの水道水が注水管４を介してタンク１に入る。タンク１内の水量が増加するのに伴い、フロートが水の浮力作用により、その重力を克服して上昇する。フロートが所定の水位まで上昇したときに、フロートスイッチ２が閉じ、電磁注水弁３がそれに応じて閉じ、タンク１の注水が停止する。
【００１９】
給水管と電磁注水弁３との間に、主閉止弁５、フィルタ６および逆止式流量弁７がさらに設けられている。タンク１の吐水口は、加圧ポンプ８を介して分配弁９に接続されており、前記分配弁９は、ステッピングモータＭの制御によってタンク１からの水流を切り替え、前記水流が腰掛便器の内縁吐水口または噴射吐水口に選択的に流れるようにする。上述した各部材の構造および作用は、いずれも当業者が熟知しているものであり、ここではそれらの詳細な説明は省略する。
【００２０】
注水管４において各種原因により負圧が生じたときにもたらされる汚水の逆流を防止するため、注水管４にバキュームブレーカ１０がさらに設けられている。次に、図３、図４および図５と合わせ、本発明のバキュームブレーカの２つの例示的実施例について詳細に説明する。
【００２１】
図３に示す実施例において、バキュームブレーカ１０’は、本体部１１と、蓋部１２とを含む。本体部１１および蓋部１２は、キャビティ１３を共同で画定する。本体部１１には、注水管部１４と、出水管部１５とが形成されている。注水管部１４は、注水口を画定し、電磁注水弁３下流の注水ホースと接続することができる。出水管部１５は、出水口を画定し、タンク１注水口に通じるホースと接続することができる。蓋部１２には、空気口１６と、前記空気口１６に連通したオーバーフロー穴１７とが形成されている。バキュームブレーカ１０’の中の余分な水は、オーバーフロー口１７およびそれに接続されたオーバーフロー管を介して腰掛便器の噴射吐水口または内縁吐水口に流れることができる。注水口を封止するための第１の位置と空気口１６を封止するための第２の位置との間を移動可能なガスケット１８と、ガスケット１８を固定するためのガスケット固定軸１９とがキャビティ１３内に設けられている。
【００２２】
バキュームブレーカ１０’の動作方式は、従来技術におけるバキュームブレーカと同じである。通常の状况で、ガスケット１８は、自重およびガスケット固定軸１９の重力の作用によって、注水管部１４の上端部に当接する。タンク１に注水が必要な場合、電磁注水弁３が開き、水道水の圧力によって、ガスケット１８およびガスケット固定軸１９が上向きに移動することにより、注水口を開き、空気口１６を閉じる。注水口からキャビティ１３内に流入した水道水は、出水口を介して流出し、さらにタンク１の中に流れる。注水管に負圧が生じた場合、外部の空気が空気口１６からキャビティ１３内に入り、サイフォン現象の発生を防止し、空気圧力によってガスケット１８が注水管部の上端部に当接され、注水口を封止する。これによって、汚水の注水管への逆流を有効に防止することができる。
【００２３】
図３に示すように、バキュームブレーカ１０’の注水管部１４の末端部（すなわち上端部）は、キャビティ１３をほぼ貫通して、空気口１６に近接するまで延伸する。図１に示すバキュームブレーカ１００に比べ、これによって注水口の高さが高くなることにより、逆流時のＣＬ線の高さが高くなる。
【００２４】
また、その大部分が注水管部１４の中に下向きに伸びるようにガスケット固定軸１９を設けることによって、バキュームブレーカ１０’の寸法を小さくする。さらに、図１に示すバキュームブレーカ１００に比べ、ガスケット固定軸１９を案内し支持する構造、例えば周方向に間隔をあけて設けられた複数のリブを容易に注水管部１４の内壁に形成することができる。
【００２５】
図４に示すバキュームブレーカ１０”と図３に示すバキュームブレーカ１０’の主な違いは、空気口１６の上方に止水キャップ２０が設けられ、オーバーフロー穴１７の上方に止水シート２１が設けられていることにより、水が空気口１６またはオーバーフロー穴１７から飛び散ることをしっかりと防止することができることである。図１に示すバキュームブレーカ１００における蓋部１０２に独立して単独で成形した止水キャップ１１０と異なり、本実施例における止水キャップ２０および止水シート２１は、いずれもバキュームブレーカ１０”の蓋部１２と一体成形されている。これによって、製造コストを下げ、止水キャップまたは止水シートをバキュームブレーカ蓋部に組立てるステップがなくなる。
【００２６】
図５は、図４に示すバキュームブレーカ１０”の立体図であり、バキュームブレーカの全体構造を示す。図５は、図３に示すバキュームブレーカ１０’（止水キャップ２０および止水シート２１を有さない）の立体図を容易に知ることができる。
【００２７】
図４および図５に示す実施例には、止水キャップ２０および止水シート２１が同時に設けられているが、止水キャップ２０および止水シート２１のいずれかを蓋部１２に一体に形成してもよい。
【００２８】
上述した各実施例において、バキュームブレーカの注水管部１４の末端部（すなわち上端部）は、キャビティ１３をほぼ貫通して、空気口１６に近接するまで延伸する。しかしながら、本発明はこれに限られるものではない。注水管部１４の末端部が空気口１６の方向にキャビティ１３内で一定距離延伸していれば、従来技術に比べ逆流時のＣＬ線が高くする技術的効果を実現することができる。例えば、注水管部の末端部がキャビティ内で延伸する長さは、キャビティの高さの半分より大きくてもよい。
【００２９】
以上の内容は、本発明の好ましい実施例でしかなく、本発明を制限するためのものではない。当業者は、本発明の範囲を逸脱せずに、本発明の装置に対して多種の改良および変更を行うことができる。当業者は、本明細書において公開した内容を考慮することにより、その他の実施例を得ることもできる。本明細書および実施例は、例示的なものとしてみなされるべきであり、本発明の真の範囲は、請求の範囲および同等の手法により限定される。
【図１】
2014169784.tif 000003
【図２】
2014169784.tif 000004
【図３】
2014169784.tif 000005
【図４】
2014169784.tif 000006
【図５】
2014169784.tif 000007